(57)【要約】【課題】  電子会議の連続性を実現すると共に利用者に対して新たな利便性を提供する。【解決手段】  本発明の方法は、電子会議の記録データを格納するデータ格納部に格納された、今回の電子会議において参照すべき電子会議の記録データに関する指定を参加者の端末から受信する工程と、上記指定に係る電子会議の記録データをデータ格納部から読み出し、上記指定に係る電子会議の記録データから今回の電子会議において参加者が上記指定に係る電子会議の記録データを再利用するためのデータを生成し、今回の電子会議における参加者の端末に送信する工程とを含む。このように、例えば電子会議の主催者は今回の電子会議において参照すべき例えば前回の電子会議の記録データに関する指定を今回の電子会議の開始時等に行うことができ、これに応じて電子会議の参加者は当該指定に係る記録データ内のデータを参照できるようになる。【選択図】図１
2006094128.tif 000002
【特許請求の範囲】
【請求項１】
電子会議の記録データを格納するデータ格納部に格納された、今回の電子会議において参照すべき電子会議の記録データに関する指定を参加者の端末から受信するステップと、
前記指定に係る電子会議の記録データを前記データ格納部から読み出し、前記指定に係る電子会議の記録データから今回の電子会議において参加者が前記指定に係る電子会議の記録データを再利用するためのデータを生成し、今回の電子会議における参加者の端末に送信するデータ生成ステップと、
を含み、コンピュータにより実行される電子会議記録データ処理方法。
【請求項２】
前記指定に係る電子会議の記録データを再利用するためのデータが、今回の電子会議において参加者が参照指示するための参照指示用データを含み、
前記参加者の端末から前記参照指示用データに対する参照指定データを受信した場合、前記参照指定データに基づき前記指定に係る電子会議の記録データから該当する部分データを特定し、当該部分データを用いて再生データを生成し、前記参加者の端末に送信する再生データ生成ステップと、
前記今回の電子会議に対する記録データとして前記部分データへの参照記録を、前記データ格納部に格納するステップと、
をさらに含む請求項１記載の電子会議記録データ処理方法。
【請求項３】
前記今回の電子会議の終了が指示された場合には、前記指定に係る電子会議の記録データと、前記部分データへの参照記録を含む前記今回の電子会議の記録データとを統合して、前記データ格納部に格納するステップ
をさらに含む請求項２記載の電子会議記録データ処理方法。
【請求項４】
前記再生データ生成ステップが、
前記参照指定データが、前記記録データを構成する複数のデータタイプのデータのうち特定のデータタイプの特定の項目又は時間帯を指定するものである場合、前記参照指定データに基づき前記指定に係る電子会議の記録データから前記特定のデータタイプの特定の項目又は時間帯に該当する部分データを抽出し、記憶装置に格納するステップと、
前記指定に係る電子会議の記録データから、前記部分データと同じタイミングにおける他のデータタイプの第２部分データを抽出し、記憶装置に格納するステップと、
前記記憶装置に格納された前記部分データ及び前記第２部分データを用いて再生データを生成するステップと、
を含む請求項２記載の電子会議記録データ処理方法。
【請求項５】
電子会議の記録データを格納するデータ格納部に格納された、今回の電子会議において参照すべき電子会議の記録データに関する指定を参加者の端末から受信するステップと、
前記指定に係る電子会議の記録データを前記データ格納部から読み出し、前記指定に係る電子会議の記録データから今回の電子会議において参加者が前記指定に係る電子会議の記録データを再利用するためのデータを生成し、今回の電子会議における参加者の端末に送信するデータ生成ステップと、
をコンピュータに実行させる電子会議記録データ処理プログラム。
【発明の詳細な説明】
【技術分野】
【０００１】
本発明は、テレビ（ＴＶ）会議、ビデオ会議などの電子会議に関し、より詳しくは電子会議における記録データの処理技術に関する。
【背景技術】
【０００２】
現在使用されているＴＶ会議システムには、ＩＳＤＮ（Integrated Services Digital Network）を使用したＴＶ会議システムをＩＰネットワークにおいても使用できるようにした規格Ｈ．３２３に準拠したものと、規格Ｈ．３２３に準拠しないがパーソナルコンピュータ（Personal Computer:ＰＣ）を用いたウェブ（Ｗｅｂ）ビデオ会議システムとがある。
【０００３】
なお、特開２００２−２３２８５８号公報には、講演者と受講者が一堂に会することなくセミナー等のイベントを開催し、当該イベントの内容を容易に再利用することを可能にする装置が開示されている。すなわち、クライアントでの指示によりスライド等のドキュメントが表示されたタイミングをＷＥＢサーバで記録し、動画像と同期させて保存、再生するものである。なお、本公報における再利用は、次回の電子会議とは無関係の単なる再生を意味するものである。
【特許文献１】特開２００２−２３２８５８号公報
【発明の開示】
【発明が解決しようとする課題】
【０００４】
上で述べたような従来技術では、電子会議の内容を録画し、さらにその録画内容を再利用して後の会議を行うということはできない。そのため、以前開催した電子会議に関連して行われる後続の電子会議において同じ資料を用いる場合であってもデータをその都度登録し直す必要があり、また以前開催した電子会議における発言などを簡単に再現することもできなかった。
【０００５】
従って本発明の目的は、電子会議の連続性を実現すると共に利用者に対して新たな利便性を提供するための情報処理技術を提供するものである。
【課題を解決するための手段】
【０００６】
本発明に係る電子会議記録データ処理方法は、電子会議の記録データを格納するデータ格納部に格納された、今回の電子会議において参照すべき電子会議の記録データ（例えば実施の形態における録画データ。但し、映像データのみを意味しない。）に関する指定を参加者の端末から受信するステップと、上記指定に係る電子会議の記録データをデータ格納部から読み出し、上記指定に係る電子会議の記録データから今回の電子会議において参加者が上記指定に係る電子会議の記録データを再利用するためのデータを生成し、今回の電子会議における参加者の端末に送信するデータ生成ステップとを含む。
【０００７】
このように、例えば電子会議の主催者は今回の電子会議において参照すべき電子会議（例えば前回の電子会議）の記録データに関する指定を今回の電子会議の開始時又はその途中で行うことができ、これに応じて電子会議の参加者は当該指定に係る記録データ内のデータにつき参照できるようになる。すなわち、電子会議の参加者は、電子会議の連続性を利用して容易にデータの再利用ができるようになる。
【０００８】
また、上記指定に係る電子会議の記録データを再利用するためのデータが、今回の電子会議において参加者が参照指示するための参照指示用データを含むならば、参加者の端末から参照指示用データに対する参照指定データを受信した場合、参照指定データに基づき上記指定に係る電子会議の記録データから該当する部分データを特定し、当該部分データを用いて再生データを生成し、参加者の端末に送信する再生データ生成ステップと、今回の電子会議に対する記録データとして部分データへの参照記録を、データ格納部に格納するステップとをさらに含むようにしてもよい。例えば前回の電子会議における資料を再利用するように指示されれば、指示に係るデータ（部分データ）が参加者の端末に配信されるため、今回の電子会議の議論がスムーズに進むようになる。また、データ格納部には部分データへの参照記録のみが登録されるため、記憶容量を減らすことも可能となる。
【０００９】
さらに、今回の電子会議の終了が指示された場合には、指定に係る電子会議の記録データと、部分データへの参照記録を含む今回の電子会議の記録データとを統合して、データ格納部に格納するステップをさらに含むようにしてもよい。これにより電子会議の継続性を保存用のデータの上でも保持することができるようになる。
【００１０】
また、上で述べた再生データ生成ステップが、上記参照指定データが、記録データを構成する複数のデータタイプのデータのうち特定のデータタイプの特定の項目又は時間帯を指定するものである場合、参照指定データに基づき指定に係る電子会議の記録データから特定のデータタイプの特定の項目又は時間帯に該当する部分データを抽出し、記憶装置に格納するステップと、指定に係る電子会議の記録データから、部分データと同じタイミングにおける他のデータタイプの第２部分データを抽出し、記憶装置に格納するステップと、記憶装置に格納された部分データ及び第２部分データを用いて再生データを生成するステップとを含むようにしてもよい。このようにすれば、再利用が指定されたデータと同じタイミングで提示された他のデータについても今回の電子会議の参加者が同時に見ることができるようになるため、今回の電子会議における議論を深めることができるようになる。
【００１１】
なお、今回の電子会議において参照すべき電子会議の記録データに関する指定については、継続的に記録された電子会議の記録データ全体の指定、特定日時開催の電子会議のみの記録データ全体、電子会議の記録データに含まれる１のデータタイプの指定、電子会議の記録データに含まれる特定の項目又は時間帯の指定の少なくともいずれかがなされるような構成であっても良い。このように、電子会議の継続性についても様々な形態が可能となる。
【００１２】
本発明に係る電子会議記録データ処理方法をコンピュータに実行させるためのプログラムを作成することができ、当該プログラムは、例えばフレキシブル・ディスク、ＣＤ−ＲＯＭ、光磁気ディスク、半導体メモリ、ハードディスク等の記憶媒体又は記憶装置に格納される。また、ネットワークを介してディジタル信号にて頒布される場合もある。なお、処理途中のデータについては、コンピュータのメモリ等の記憶装置に一時保管される。
【発明の効果】
【００１３】
本発明によれば、電子会議の連続性を実現すると共に利用者に対して新たな利便性を提供できる。
【発明を実施するための最良の形態】
【００１４】
本発明の一実施の形態に係るシステム概要を図１に示す。ビデオ会議システム１と、ユーザ端末Ａやユーザ端末Ｂなどのユーザ端末とはネットワーク７を介して有線又は無線にて接続されている。このビデオ会議システム１は、Ｗｅｂサーバ１０とＭＣＵ（Multipoint Communication Unit）ミーティングサーバ２０とを含む。ＭＣＵミーティングサーバ２０は録画データＤＢ３０を管理しており、Ｗｅｂサーバ１０は、録画データＤＢ３０及びユーザＤＢ４０を参照できるようになっている。
【００１５】
Ｗｅｂサーバ１０は、電子会議のスケジュール登録処理などを実施する会議スケジュール管理部１１と、ビデオ会議システム１へのアクセスを制御するためユーザＤＢ４０に格納されたデータを用いて認証処理を実施するアカウント管理部１２と、要求に応じて録画データＤＢ３０に登録されている録画データをアクセス権限を有するユーザのユーザ端末に送信する処理などを実施する録画データ管理部１３と、録画データＤＢ３０に登録されている録画データに対するアクセス権限の確認・変更等の処理を実施する録画データアクセス権管理部１４と、付加機能としてＩＰ電話を可能とするための呼制御を実施するＩＰ電話呼制御部１５と、ネットワーク７を介してユーザ端末と通信を行う通信処理部１６とを有する。
【００１６】
また、ＭＣＵミーティングサーバ２０は、電子会議参加者からの音声データを送信元以外の参加者の端末に送信するための処理を実施する音声合成・トランスコード処理部２１と、音声データの優先処理を実施するための音声パケット優先処理部２２と、映像データ及び音声データのストリーム配信を行うための映像・音声ストリーム処理部２３と、ホワイトボードなどの共有データの配信処理を実施する共有データ配信処理部２４と、電子会議の録画を行う録画制御部２５と、ユーザ端末との通信処理を行う通信処理部２６とを有する。
【００１７】
なお、ユーザＤＢ４０には、ユーザＩＤ及びパスワード、ユーザの所属や他のユーザとの関係などのデータが蓄積されている。
【００１８】
一方、ユーザ端末Ａは、例えばパーソナルコンピュータであって、マイク、スピーカ（又はマイク及びスピーカを含むヘッドセット）、カメラ等の電子会議用の機器と、通常のＷｅｂブラウザ５１と、電子会議クライアント５２とを有する。ユーザ端末Ｂも同様に、電子会議用の機器と、Ｗｅｂブラウザ６１と、電子会議クライアント６２とを有する。なお、ユーザ端末の構成は全て同一であるからここでは代表してユーザ端末Ａについて説明する。ユーザ端末Ａの電子会議クライアント５２は、ユーザ端末Ａのカメラにて撮影された映像データをＭＣＵミーティングサーバ２０に送信すると共にＭＣＵミーティングサーバ２０から他の電子会議参加者の映像データを受信してユーザ端末Ａの表示装置に表示させる映像処理部５２１と、同じくユーザ端末Ａのマイク等を介して取得される音声データをＭＣＵミーティングサーバ２０に送信すると共にＭＣＵミーティングサーバ２０から他の電子会議参加者の音声データを受信してスピーカから音声出力させる音声処理部５２２と、ホワイトボードに表示させるデータなど映像及び音声以外のデータをＭＣＵミーティングサーバ２０に送信する共にＭＣＵミーティングサーバ２０から映像及び音声以外のデータを受信して表示装置に表示させる会議データ処理部５２３と、Ｗｅｂサーバ１０やＭＣＵミーティングサーバ２０とのコネクションの制御を行うコネクション制御部５２４と、ネットワーク７を介した他のコンピュータとの通信処理を実施する通信処理部５２５とを有する。
【００１９】
次に、図２を用いて録画データＤＢ３０に格納されるデータについて説明する。録画データには、５つのデータタイプのデータが含まれる。すなわち、音声、映像、テキストチャット、参加者状態及びスライドである。但し、本実施の形態では、連続的なデータである音声及び映像のデータは１つにまとめられており、文字データであるテキストチャットと参加者状態とのデータは１つにまとめられている。残りのスライドについては、基本的には静止画像データであるが、文字データやその他の形式のファイルである場合もある。図２においては、９月１日の電子会議についての録画データＡと、９月１３日の電子会議についての録画データＢとが統合された録画データＣが示されている。録画データには、通常は電子会議の主催者である所有者が設定されており、所有者等により設定されたアクセス許可者に対して参照可という設定がなされている。なお、録画データＤＢ３０には、個別電子会議の録画データ（録画データＡ及び録画データＢ）と、統合された録画データＣとが登録される場合もある。
【００２０】
また、例えば、９月１日の電子会議において、スライドタイプのデータ３０１が使用されたとする。データ３０１については、書誌データ（資料名：test.ppt、所有者：TestUser、資料アップロード（upload）時刻：9/1 10:23、資料参照時刻：−、データ区分：バイナリデータ本体）と、その際にアップロードされたデータファイル自体を含む。そして、９月１３日の電子会議において９月１日のスライドタイプのデータを参照した場合には、書誌データ（資料名：test.ppt、所有者：TestUser、資料アップロード（upload）時刻：9/1 10:23、資料参照時刻：9/13 9:56、データ区分：バイナリデータへのポインタ）のみが登録され、データ自体は登録されない。しかし、録画データＣとして９月１日の電子会議の録画データＡと９月１３日の電子会議の録画データＢとが統合されるので、後から録画データＣを参照した場合であっても、電子会議を問題なく再生することができる。
【００２１】
なお、統合された録画データである録画データＣでは、録画データＢについても内部における時間は録画データＡから連続となるように統合されている。すなわち、音声及び映像データについては連続するようにつなげられ、テキストチャット及び参加者状態並びにスライドについては録画データＢにおけるイベントの時間を録画データＡと連結した際の時間に変更して連結する。
【００２２】
次に図３乃至図９を用いて図１に示したシステムの処理フローを説明する。なお、本願に関連する部分のみを説明するため、図１に示した機能ブロックには説明に出てこないものも存在する。但し、そのような機能ブロックの処理は周知であって、以下において説明されずともその構成は明らかである。
【００２３】
まず電子会議の主催者であるユーザＡは、ユーザ端末Ａを操作してＷｅｂブラウザ５１に、電子会議のためのＷｅｂページにアクセスさせる（図３：ステップＳ１）。Ｗｅｂサーバ１０の通信処理部１６は、アクセスに応じて認証済みユーザ端末からのアクセスではないと判断すると、認証ページのデータをユーザ端末Ａに送信する（ステップＳ３）。ユーザ端末ＡのＷｅｂブラウザ５１は、認証ページ・データを受信し、表示装置に表示する（ステップＳ５）。例えばユーザＩＤ及びパスワードの入力欄を有する認証ページが表示される。
【００２４】
これに対して、ユーザは、ユーザ端末ＡのＷｅｂブラウザ５１に対してユーザＩＤ及びパスワードを入力し、Ｗｅｂサーバ１０への送信を命ずる。ユーザ端末ＡのＷｅｂブラウザ５１は、ユーザＩＤ及びパスワードの入力を受け付け、Ｗｅｂサーバ１０に送信する（ステップＳ７）。Ｗｅｂサーバ１０のアカウント管理部１２は、通信処理部１６を介してユーザ端末ＡからユーザＩＤ及びパスワードを受信し、ユーザＤＢ４０を参照して認証処理を実施する（ステップＳ９）。認証に失敗すれば、ステップＳ３に戻って再度ユーザＩＤ及びパスワードの入力を求める。認証に成功すれば、録画データアクセス権管理部１４は、録画データＤＢ３０を参照して、受信したユーザＩＤからアクセス権限のある録画データを特定し、当該録画データのリストを生成し、メインメモリ等の記憶装置に格納する（ステップＳ１１）。アクセス権限のある録画データについては、ユーザＡの指示によりユーザ端末Ａにダウンロードすることができる。そして、Ｗｅｂサーバ１０（例えば通信処理部１６）は、ステップＳ１１で生成された録画データのリストを含む、電子会議のためのＷｅｂページ・データを生成し、ユーザ端末Ａに送信する（ステップＳ１３）。
【００２５】
ユーザ端末ＡのＷｅｂブラウザ５１は、Ｗｅｂサーバ１０から電子会議のためのＷｅｂページ・データを受信し、表示装置に表示する（ステップＳ１５）。電子会議のためのＷｅｂページには、上で述べたようなアクセス権限のある録画データのリストと、会議予約のためのボタン又はリンクと、電子会議開始指示のためのボタン又はリンクと、その他のデータとが含まれる。
【００２６】
ここでユーザＡは、電子会議開始指示として電子会議開始指示のためのボタン又はリンクをクリックする。ユーザ端末ＡのＷｅｂブラウザ５１は、ユーザＡによる電子会議開始指示を受け付け、電子会議開始指示を表すデータをＷｅｂサーバ１０に送信する（ステップＳ１７）。Ｗｅｂサーバ１０は、ユーザ端末Ａからの電子会議開始指示を表すデータの受信に応じて、空リソース等から決定されるＭＣＵミーティングサーバ２０へのアクセス・データ（ＩＰアドレス、ポート番号、会議アカウント）をユーザ端末Ａに送信する（ステップＳ１９）。なお、Ｗｅｂサーバ１０においては、例えばユーザＤＢ４０などに、アクセス・データを会議開催情報として保持しておき、他の参加者による会議参加の際に用いる。ユーザ端末Ａは、Ｗｅｂサーバ１０から、ＭＣＵミーティングサーバ２０へのアクセス・データを受信し、例えばメインメモリ等の記憶装置に格納する（ステップＳ２１）。ここでユーザ端末Ａは、電子会議クライアント５２を起動する。処理は端子Ａを介して図４の処理に移行する。
【００２７】
ユーザ端末Ａの電子会議クライアント５２は、ＭＣＵミーティングサーバ２０へのアクセス・データを用いてＭＣＵミーティングサーバ２０にアクセスする（図４：ステップＳ２３）。なお、アクセスの際にはユーザＩＤなどのユーザを特定するデータも送信する。ＭＣＵミーティングサーバ２０の録画制御部２５は、ユーザ端末Ａからのアクセスに応答して、当該ユーザＡにアクセス権限のある録画データを録画データＤＢ３０により特定し（ステップＳ２５）、特定された録画データに関する指定及び録画の有無の指定などを行うための設定画面のためのデータをユーザ端末Ａに送信する（ステップＳ２７）。ユーザ端末Ａの電子会議クライアント５２は、上で述べたような設定画面のためのデータをＭＣＵミーティングサーバ２０から受信し、表示装置に表示する（ステップＳ２９）。
【００２８】
特定された録画データに関する指定は、今回開催する電子会議において参照すべき録画データについての指定であって、（１）図２における録画データＣのように、継続する複数回の電子会議に対する録画データ全体の指定、（２）図２における録画データＡや録画データＢのように、特定の電子会議に対する録画データ全体の指定、（３）図２における特定の録画データにおける音声、映像、テキストチャット、参加者状態、スライドのように、特定の録画データにおける特定のデータタイプの指定、（４）図２におけるデータ３０１のように、特定のタイミングにおける録画データの指定、（５）（１）乃至（４）のいずれかにおいて複数データセットの指定、（６）（１）乃至（５）の任意の組み合わせの指定のいずれかである。
【００２９】
従って、上記のような指定を選択できるようにするメニュー、及び録画する（デフォルト）又は録画しないのいずれかを選択するためのメニュー画面が表示される。
【００３０】
そこでユーザＡは、ユーザ端末Ａを操作して、録画データに関する指定及び録画実施の有無の指定を行う。ユーザ端末Ａの電子会議クライアント５２は、ユーザから、録画データに関する指定を再利用データとして受け付け、さらに録画実施の有無の指定を受け付ける（ステップＳ３１）。そして、電子会議クライアント５２は、再利用データの指定及び録画実施の有無の指定を含む電子会議開始要求をＭＣＵミーティングサーバ２０に送信する（ステップＳ３３）。ＭＣＵミーティングサーバ２０の通信処理部２６は、ユーザ端末Ａから再利用データの指定及び録画実施の有無の指定を含む電子会議開始要求を受信する（ステップＳ３５）。そして、録画制御部２５は、再利用データの指定に従って再利用データを録画データＤＢ３０から読み出し、再利用データを解析してユーザによる再利用のためのデータを生成し、例えばメインメモリ等の記憶装置に格納する（ステップＳ３７）。再利用のためのデータとは、テキストチャット又は参加者状態が再利用データに含まれる場合にはテキストチャット又は参加者状態の録画データそのもの、スライドが再利用データに含まれる場合には選択可能なスライドのリストである。また、音声又は映像が再利用データに含まれる場合には、音声又は映像の選択可能な時間帯のデータである。
【００３１】
なお、アクセス権限が個別のスライド等のレベルまで管理される場合には、現在の参加者状態に応じて選択可能なスライドのリストに変更が加えられる。すなわち、現在の参加者のいずれかがアクセス権を有するスライドのみがリストに含められるようにする。又は、再利用データに含まれるスライドが全てリストに含められるが、現在の参加者のいずれもがアクセス権を有しないスライドについては選択不可能なことを示すデータが付加されたリストとなる。
【００３２】
そして、録画制御部２５は、通信処理部２６を介して、ユーザによる再利用のためのデータをユーザ端末Ａに送信する（ステップＳ３９）。ユーザ端末Ａの電子会議クライアント５２は、ＭＣＵミーティングサーバ２０から再利用のためのデータを受信し、表示装置に表示する（ステップＳ４１）。
【００３３】
例えば図５に示すような画面が表示される。図５の例では、ホワイトボード用のウインドウ４０１とビデオ及びチャット用のウインドウ４１１とが示されている。実際にはこれ以外のウインドウも表示されるが、ここでは説明を簡単にするために２つに限定している。ウインドウ４０１は、スライドタイプのデータを表示する表示欄４０３と、コンボボックス４０２と、表示欄４０３に対する操作用ボタン（線画４０４などの書き込み用ツールを含む）等を含む。コンボボックス４０２においては、選択可能なスライド（ファイル）のリストが提示され、選択されたスライドが表示欄４０３に表示される。表示欄４０３には、スライド上に線画４０４などを書き込むことができ、電子会議の議論を効果的に進めることができるようになっている。このような書き込み自体もスライド扱いであり、書き込みを行った参加者が所有者となる。
【００３４】
またウインドウ４１１は、映像表示欄４１２と、チャット表示欄４１３と、映像などに対する各種操作ボタン等を含む。映像表示欄４１２には、今回の電子会議の映像や再利用で指示された映像が表示される。チャット表示欄４１３には、再利用データとして前回の電子会議におけるテキストチャットのデータと、今回の電子会議において入力されたテキストチャットのデータが表示される。
【００３５】
ここまでの処理により電子会議の開催の準備が整った。以降の処理は、基本的には従来の電子会議システムの処理と同様であり、ＭＣＵミーティングサーバ２０の録画制御部２５は、電子会議のデータを録画データとして保存する。保存は、例えば一時的にＭＣＵミーティングサーバ２０の記憶装置の一時ファイルに対して行う。
【００３６】
次に図６及び図７を用いて、主催者以外の参加者であるユーザＢがユーザ端末Ｂを用いて電子会議に参加する際の処理について説明する。まずユーザＢは、ユーザ端末Ｂを操作してＷｅｂブラウザ６１に、電子会議のためのＷｅｂページにアクセスさせる（図６：ステップＳ５１）。Ｗｅｂサーバ１０の通信処理部１６は、アクセスに応じて認証済みユーザ端末からのアクセスではないと判断すると、認証ページのデータをユーザ端末Ｂに送信する（ステップＳ５３）。ユーザ端末ＢのＷｅｂブラウザ６１は、認証ページ・データを受信し、表示装置に表示する（ステップＳ５５）。
【００３７】
これに対して、ユーザＢは、ユーザ端末ＢのＷｅｂブラウザ６１に対してユーザＩＤ及びパスワードを入力し、Ｗｅｂサーバ１０への送信を命ずる。ユーザ端末ＢのＷｅｂブラウザ６１は、ユーザＩＤ及びパスワードの入力を受け付け、Ｗｅｂサーバ１０に送信する（ステップＳ５７）。Ｗｅｂサーバ１０のアカウント管理部１２は、通信処理部１６を介してユーザ端末ＢからユーザＩＤ及びパスワードを受信し、ユーザＤＢ４０を参照して認証処理を実施する（ステップＳ５９）。認証に失敗すれば、ステップＳ５３に戻って再度ユーザＩＤ及びパスワードの入力を求める。認証に成功すれば、録画データアクセス権管理部１４は、録画データＤＢ３０を参照して、受信したユーザＩＤからアクセス権限のある録画データを特定し、当該録画データのリストを生成し、メインメモリ等の記憶装置に格納する（ステップＳ６１）。アクセス権限のある録画データについては、ユーザＢの指示によりユーザ端末Ｂにダウンロードすることができる。そして、例えばユーザＤＢ４０を参照して、ユーザＢと関係するユーザを特定し、当該ユーザの会議開催状態のデータをも取得する。ここではユーザＡとユーザＢは、組織上又はその他の関係において関連付けられており、ユーザＡの会議開催状態のデータが例えばユーザＤＢ４０から抽出される。Ｗｅｂサーバ１０は、ステップＳ６１で生成された録画データのリスト及びユーザＢに関連するユーザの会議開催状態のデータを含む、電子会議のためのＷｅｂページ・データを生成し、ユーザ端末Ｂに送信する（ステップＳ６３）。
【００３８】
ユーザ端末ＢのＷｅｂブラウザ６１は、Ｗｅｂサーバ１０から電子会議のためのＷｅｂページ・データを受信し、表示装置に表示する（ステップＳ６５）。電子会議のためのＷｅｂページには、上で述べたようなアクセス権限のある録画データのリストと、会議予約のためのボタン又はリンクと、電子会議開始指示のためのボタン又はリンクと、ユーザＢに関連するユーザ（ここではユーザＡ）の会議開催状態（開催中等）を表すデータと、その他のデータとが含まれる。会議開催状態を表すデータについては、会議開催中のみ表示データとする場合もある。
【００３９】
ここでユーザＢは、ユーザＡが会議開催中であるので、ユーザＡが開催中の電子会議に参加すべく、例えばユーザＡについてのボタン又はリンクをクリックする。そうすると、ユーザ端末ＢのＷｅｂブラウザ６１は、ユーザＢによる、特定のユーザ（ユーザＡ）が開催中の電子会議参加指示を受け付け、当該電子会議参加指示を表すデータをＷｅｂサーバ１０に送信する（ステップＳ６７）。Ｗｅｂサーバ１０は、ユーザ端末Ｂからの電子会議参加指示を表すデータの受信に応じて、ユーザＤＢ４０を参照してＭＣＵミーティングサーバ２０へのアクセス・データ（ＩＰアドレス、ポート番号、ユーザＡの会議アカウント）をユーザ端末Ｂに送信する（ステップＳ６９）。ユーザ端末Ｂは、Ｗｅｂサーバ１０からＭＣＵミーティングサーバ２０へのアクセス・データを受信し、例えばメインメモリ等の記憶装置に格納する（ステップＳ７１）。ここでユーザ端末Ｂは、電子会議クライアント６２を起動する。処理は端子Ｄを介して図７の処理に移行する。
【００４０】
ユーザ端末Ｂの電子会議クライアント６２は、ＭＣＵミーティングサーバ２０へのアクセス・データを用いてＭＣＵミーティングサーバ２０にアクセスする（ステップＳ７３）。なお、アクセスの際にはユーザＩＤなどのユーザを特定するデータも送信する。ＭＣＵミーティングサーバ２０の録画制御部２５は、ユーザ端末Ｂからのアクセスに応答して、指定された電子会議における再利用データのうち本ユーザにより利用が可能なデータを特定する（ステップＳ７５）。上でも述べたように、スライドタイプの各スライドについては、アップロードしたユーザに所有権が設定される場合がある。そのような場合に、当該ユーザ又は当該ユーザからアクセスが許可されたユーザが電子会議に参加していなければ当該スライドを再利用することはできない。従って、本ユーザが電子会議に参加することにより、再利用データのうち再利用ができるようになったスライド等を特定して、他の参加者も利用可能に設定する。そのため、ステップＳ７５で特定された再利用可能なデータに応じて、上で述べた再利用のためのデータを生成し、例えばメインメモリ等の記憶装置に格納する（ステップＳ７７）。このステップは、ステップＳ７５において特定されたスライド等を含めた形でステップＳ３７と同様の処理を行う。但し、従前の再利用のためのデータから変更が無い場合もある。
【００４１】
そして、録画制御部２５は、通信処理部２６を介して、ユーザによる再利用のためのデータを全ての参加者の端末に送信する（ステップＳ７９）。なお、変更が無い場合もあるので、その場合にはユーザ端末Ｂにのみ送信するようにしてもよい。ユーザ端末Ｂ及び他の参加者のユーザ端末の電子会議クライアント６２は、ＭＣＵミーティングサーバ２０から再利用のためのデータを受信し、表示装置に表示する（ステップＳ８１）。
【００４２】
このようにしてユーザは電子会議に参加する。以降の処理は、基本的には従来の電子会議システムの処理と同様であり、ＭＣＵミーティングサーバ２０の録画制御部２５は、電子会議のデータを録画データとして一時ファイルに保存する。
【００４３】
次に、図８を用いて電子会議中の処理について説明する。例えば図５のような画面において、コンボボックス４０２のいずれかのスライドを選択した場合の処理を説明する。ユーザ端末Ａは、ユーザＡによる特定のスライド等の再利用指示を受け付け、当該再利用指示に係るデータをＭＣＵミーティングサーバ２０に送信する（ステップＳ９１）。ＭＣＵミーティングサーバ２０の録画制御部２５は、通信処理部２６を介して、ユーザ端末Ａから再利用指示を受信し（ステップＳ９３）、録画データＤＢ３０から又は既にＭＣＵミーティングサーバ２０の記憶装置に読み出されている場合には当該記憶装置から、再利用指示に係るスライド等のデータを読み出し、全ての参加者のユーザ端末に送信する（ステップＳ９５）。ユーザ端末Ａの電子会議クライアント５２は、ＭＣＵミーティングサーバ２０から再利用指示されたデータを受信し、表示装置に表示する（ステップＳ９７）。電子会議の参加者は、過去（前回の電子会議を含む）利用されたスライド等のデータを再度見ながら議論を進めることができる。
【００４４】
なお、ＭＣＵミーティングサーバ２０の録画制御部２５は、スライド等の再利用されたデータそのものを、今回の電子会議に対する登録すべきデータとして記録せず、再利用されたデータへの参照データを、登録すべきデータとして例えばＭＣＵミーティングサーバ２０の記憶装置の一時ファイルに格納する（ステップＳ９９）。このようにすることにより、後に生成される録画データの容量を削減することができる。
【００４５】
次に、図９を用いて電子会議終了時の処理について説明する。電子会議の主催者であるユーザＡが電子会議の終了をユーザ端末Ａに指示する。そうするとユーザ端末Ａの電子会議クライアント５２は、ユーザＡによる電子会議終了指示を受け付け、電子会議終了指示を表すデータをＭＣＵミーティングサーバ２０に送信する（ステップＳ１０１）。ＭＣＵミーティングサーバ２０の通信処理部２６は、電子会議終了指示を表すデータを受信する（ステップＳ１０３）。そうすると、録画制御部２５は、今回の電子会議のデータを保存してきた一時ファイルへのデータ記録を終了し、データ統合処理を実施する（ステップＳ１０５）。データ統合処理は、図２で説明したように、再利用すると設定された録画データＡと今回の電子会議の録画データＢとを統合する処理である。音声及び映像データについては連結し、テキストチャット及び参加者状態並びにスライドについては、各イベントの時間を連続する形に直して連結する。
【００４６】
そして、録画制御部２５は、統合データを録画データＤＢ３０に登録すると共に、会議主催者を所有者とする権限を当該統合データに設定する（ステップＳ１０７）。なお、統合データだけではなく、一時ファイルのデータ（すなわち図２における録画データＢに相当するデータ）も録画データＤＢ３０に登録しても良い。一時ファイルのデータについても、会議主催者を所有者とする権限等を設定する。また、合わせて会議参加者にもアクセス権を設定するようにしても良い。
【００４７】
このように録画データＤＢ３０に過去の電子会議の録画データを登録しておき、後の電子会議において、過去の電子会議の録画データを参照しつつ会議を行うことができるようになる。なお、上で述べた実施の形態では、会議開始時に再利用する録画データを設定していたが、会議途中でさらに再利用する録画データを追加できるようにしても良い。場合によっては、変更することができるようにする場合もある。
【００４８】
以上本発明の一実施の形態について説明したが、本発明はこれに限定されるものではない。例えば図１に示したシステム構成は一例であって、例えばＭＣＵミーティングサーバ２０とＷｅｂサーバ１０とを別サーバにした例を示しているが、これらを一体化して一台のコンピュータで実装するようにしても良い。さらに、ＭＣＵミーティングサーバ２０とＷｅｂサーバ１０とを複数台のコンピュータにより構成するような場合もある。また、各サーバの負荷の状態に応じて負荷分散を行うようなシステム構成を採用する場合もある。さらに、クライアント−サーバシステムの構成ではなく、クライアント同士のＰ２Ｐ（Point-to-Point）の方式を採用しても良い。この場合、例えば電子会議の主催者のユーザ端末が上記サーバの機能を実現する。但し、参照する録画データは、複数のユーザ端末に格納されている場合もある。
【００４９】
また図１に示した機能ブロックは必ずしも実際のプログラムモジュールに対応するものではない。
【００５０】
さらに、録画データＤＢ３０では、参照元の録画データを削除するようにしてもよい。但し、参照元の録画データのアクセス権又は所有権などにより削除可能な場合に限る。
【００５１】
また、再利用できるデータを検索するための機能をさらに有するようにしても良い。
【００５２】
さらに図５に示した画面例は一例であって、他の画面構成を採用することも可能である。
【００５３】
なお、上で述べたＷｅｂサーバ１０及びＭＣＵミーティングサーバ２０並びにユーザ端末は、コンピュータ装置であって、図１０に示すように、メモリ２５０１とＣＰＵ２５０３とハードディスク・ドライブ（ＨＤＤ）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ：Operating System）及び本実施の形態における処理を実施するためのアプリケーション・プログラムは、ＨＤＤ２５０５に格納されており、ＣＰＵ２５０３により実行される際にはＨＤＤ２５０５からメモリ２５０１に読み出される。必要に応じてＣＰＵ２５０３は、表示制御部２５０７、通信制御部２５１７、ドライブ装置２５１３を制御して、必要な動作を行わせる。また、処理途中のデータについては、メモリ２５０１に格納され、必要があればＨＤＤ２５０５に格納される。本発明の実施の形態では、上で述べた処理を実施するためのアプリケーション・プログラムはリムーバブル・ディスク２５１１に格納されて頒布され、ドライブ装置２５１３からＨＤＤ２５０５にインストールされる。インターネットなどのネットワーク及び通信制御部２５１７を経由して、ＨＤＤ２５０５にインストールされる場合もある。このようなコンピュータ装置は、上で述べたＣＰＵ２５０３、メモリ２５０１などのハードウエアとＯＳ及び必要なアプリケーション・プログラムとが有機的に協働することにより、上で述べたような各種機能を実現する。
【００５４】
（付記１）
電子会議の記録データを格納するデータ格納部に格納された、今回の電子会議において参照すべき電子会議の記録データに関する指定を参加者の端末から受信するステップと、
前記指定に係る電子会議の記録データを前記データ格納部から読み出し、前記指定に係る電子会議の記録データから今回の電子会議において参加者が前記指定に係る電子会議の記録データを再利用するためのデータを生成し、今回の電子会議における参加者の端末に送信するデータ生成ステップと、
を含み、コンピュータにより実行される電子会議記録データ処理方法。
【００５５】
（付記２）
前記指定に係る電子会議の記録データを再利用するためのデータが、今回の電子会議において参加者が参照指示するための参照指示用データを含み、
前記参加者の端末から前記参照指示用データに対する参照指定データを受信した場合、前記参照指定データに基づき前記指定に係る電子会議の記録データから該当する部分データを特定し、当該部分データを用いて再生データを生成し、前記参加者の端末に送信する再生データ生成ステップと、
前記今回の電子会議に対する記録データとして前記部分データへの参照記録を、前記データ格納部に格納するステップと、
をさらに含む付記１記載の電子会議記録データ処理方法。
【００５６】
（付記３）
前記今回の電子会議の終了が指示された場合には、前記指定に係る電子会議の記録データと、前記部分データへの参照記録を含む前記今回の電子会議の記録データとを統合して、前記データ格納部に格納するステップ
をさらに含む付記２記載の電子会議記録データ処理方法。
【００５７】
（付記４）
前記今回の電子会議において参照すべき電子会議の記録データに関する指定が、継続的に記録された電子会議の記録データ全体の指定、特定日時開催の電子会議のみの記録データ全体、前記電子会議の記録データに含まれる１のデータタイプの指定、前記電子会議の記録データに含まれる特定の項目又は時間帯の指定の少なくともいずれかであることを特徴とする付記１記載の電子会議記録データ処理方法。
【００５８】
（付記５）
前記今回の電子会議において参照すべき電子会議の記録データが、前記今回の電子会議の主催者のアクセス権限により限定されることを特徴とする付記１記載の電子会議記録データ処理方法。
【００５９】
（付記６）
前記指定に係る電子会議の記録データを再利用するためのデータが、今回の電子会議において参加者が参照指示するための参照指示用データを含み、
前記データ生成ステップが、
前記今回の電子会議における参加者構成に基づき、前記指定に係る電子会議の記録データにおいて、前記今回の電子会議における参加者が参照指示可能なデータを特定するステップと、
特定された前記参照指示可能なデータを用いて前記参照指示用データを生成するステップと、
を含む付記１記載の電子会議記録データ処理方法。
【００６０】
（付記７）
前記再生データ生成ステップが、
前記参照指定データが、前記記録データを構成する複数のデータタイプのデータのうち特定のデータタイプの特定の項目又は時間帯を指定するものである場合、前記参照指定データに基づき前記指定に係る電子会議の記録データから前記特定のデータタイプの特定の項目又は時間帯に該当する部分データを抽出し、記憶装置に格納するステップと、
前記指定に係る電子会議の記録データから、前記部分データと同じタイミングにおける他のデータタイプの第２部分データを抽出し、記憶装置に格納するステップと、
前記記憶装置に格納された前記部分データ及び前記第２部分データを用いて再生データを生成するステップと、
を含む付記２記載の電子会議記録データ処理方法。
【００６１】
（付記８）
付記１乃至７記載の電子会議記録データ処理方法をコンピュータに実行させるためのプログラム。
【００６２】
（付記９）
電子会議の記録データを格納するデータ格納部に格納された、今回の電子会議において参照すべき電子会議の記録データに関する指定を参加者の端末から受信する手段と、
前記指定に係る電子会議の記録データを前記データ格納部から読み出し、前記指定に係る電子会議の記録データから今回の電子会議において参加者が前記指定に係る電子会議の記録データを再利用するためのデータを生成し、今回の電子会議における参加者の端末に送信するデータ生成手段と、
を有する電子会議記録データ処理装置。
【図面の簡単な説明】
【００６３】
【図１】本発明の一実施の形態におけるシステム構成図である。
【図２】本実施の形態における録画データの構成図である。
【図３】電子会議主催者の会議開催時の第１の処理フローを示す図である。
【図４】電子会議主催者の会議開催時の第２の処理フローを示す図である。
【図５】ユーザ端末において表示される画面例である。
【図６】電子会議の参加者の会議参加時の第１の処理フローを示す図である。
【図７】電子会議の参加者の会議参加時の第２の処理フローを示す図である。
【図８】再利用指示を行った場合の処理フローを示す図である。
【図９】会議終了時における処理フローを示す図である。
【図１０】コンピュータの機能ブロック図である。
【符号の説明】
【００６４】
１  ビデオ会議システム    ７  ネットワーク
１０  Ｗｅｂサーバ    ２０  ＭＣＵミーティングサーバ
３０  録画データＤＢ    ４０  ユーザＤＢ
５１，６１  Ｗｅｂブラウザ    ５２，６２  電子会議クライアント
【図１】
2006094128.tif 000003
【図２】
2006094128.tif 000004
【図３】
2006094128.tif 000005
【図４】
2006094128.tif 000006
【図５】
2006094128.tif 000007
【図６】
2006094128.tif 000008
【図７】
2006094128.tif 000009
【図８】
2006094128.tif 000010
【図９】
2006094128.tif 000011
【図１０】
2006094128.tif 000012